(57)【要約】【課題】  インバータに対する配線を簡素化なし得る操作パネル及びこの操作パネルを用いたインバータ装置を提供する。【解決手段】  インバータ装置１は、操作盤３とこの操作盤３内に配設されたインバータ４と、操作盤３の蓋体２に配設された操作パネル５とからなる。インバータ４は、通信回路を備９え、操作パネル５は、インバータ４の動作状態を操作及び表示する機能を有し、通信回路２２と、外部機器としてスイッチ３０、アナログ表示器３１、表示ランプ３２、ボリューム３３及びデジタル表示器３４に接続される信号処理手段たる接点入力部２４、アナログ出力部２５、接点出力部２６、アナログ入力部２７、パルス列出力部２８とを備えている。そして、インバータ４と操作パネル５とは、ケーブル２９により接続されていて、通信回路９、２１を介して信号の授受を行なう。【選択図】  図１
2006211746.tif 000002
【特許請求の範囲】
【請求項１】
インバータの動作状態を操作及び表示する機能を有する操作パネルにおいて、
前記インバータとの間で情報を入出力する通信手段と、
前記インバータの動作状態を操作或いは表示するためのアナログ信号、接点信号或いはパルス列信号を外部から入力し或いは外部に出力する信号処理手段とを有し、
前記インバータと前記信号処理手段との間の信号の入出力を前記通信手段で行なうことを特徴とする操作パネル。
【請求項２】
アナログ信号のゲインを調整するゲイン調整機能を有することを特徴とする請求項１記載の操作パネル。
【請求項３】
インバータ番号を設定するインバータ番号設定機能を備えたインバータの動作状態を操作或いは表示する機能を有する操作パネルにおいて、
前記インバータとの間で情報を入出力する通信手段と、
複数のインバータのインバータ番号を選択するインバータ番号選択手段と、
このインバータ番号選択手段により選択されたインバータの動作状態を操作或いは表示するためのアナログ信号、接点信号或いはパルス列信号を外部から入力し或いは外部に出力する信号処理手段とを有し、
前記インバータと前記信号処理手段との間の信号の入出力を前記通信手段で行ない、前記インガータ番号設定機能に基づきインバータ番号が設定された複数のインバータのうち前記インバータ番号選択手段により選択されたインバータの動作状態を操作及び表示することを特徴とする操作パネル。
【請求項４】
インバータ番号選択手段によりインバータ番号設定範囲外の値が選択された場合には、全てのインバータの動作状態を操作可能に構成されていることを特徴とする請求項３記載の操作パネル。
【請求項５】
インバータ番号選択手段は、パラメータ記憶手段を有し、パラメータにより選択するように構成されていることを特徴とする請求項３又は４記載の操作パネル。
【請求項６】
開口部を開閉する蓋体を有する操作盤と、
この操作盤内に配設されたインバータと、
前記操作盤の蓋体に配設された請求項１又は２記載の操作パネルとを具備してなるインバータ装置。
【請求項７】
開口部を開閉する蓋体を有する操作盤と、
この操作盤内に配設されたインバータと、
前記操作盤の蓋体に配設された外部機器と、
前記操作盤の蓋体に配設された請求項１又は２記載の操作パネルとを具備し、
前記外部機器は、前記操作パネルの信号処理手段との間で信号を入出力することを特徴するインバータ装置。
【請求項８】
開口部を開閉する蓋体を有する操作盤と、
この操作盤内に配設された複数のインバータと、
前記操作盤の蓋体に配設された請求項３乃至５のいずれかに記載の操作パネルとを具備してなるインバータ装置。
【請求項９】
開口部を開閉する蓋体を有する操作盤と、
この操作盤内に配設された複数のインバータと、
前記操作盤の蓋体に配設された外部機器と、
前記操作盤の蓋体に配設された請求項３乃至５のいずれかに記載の操作パネルとを具備し、
前記外部機器は、前記操作パネルの信号処理手段との間で信号を入出力すること特徴とするインバータ装置。
【発明の詳細な説明】
【技術分野】
【０００１】
本発明は、インバータの動作状態を操作及び表示する機能を有する操作パネル及びこの操作パネルを用いたインバータ装置に関する。
【背景技術】
【０００２】
インバータ装置は、操作盤内にインバータが収納された構成で、インバータにより電気機器例えば電動機の動作状態を制御するのに用いられるようになっている。インバータ装置は、使用者の希望に合わせて電動機の運転、停止及び運転時の動作状態等の動作状態を選択すべく種々の制御条件のデータを設定できるようになっているが、その制御条件のデータを設定するには、操作盤の前面の開口部の蓋体を開放して行なう必要がある。しかしながら、制御条件のデータを変更設定する度に操作盤の蓋体を開閉することは、作業性が悪く、又、操作盤内には高圧の電線が配置されているので、作業に危険がともなうという問題がある。
【０００３】
このような問題を解決するために、従来では、操作盤の蓋体に操作パネルを設け、この操作パネルからインバータに通信回路を介して動作条件のデータを送るようにした構成のインバータ装置が考えられている（例えば特許文献１参照）。
【特許文献１】特開平１０−３０４６７１号公報
【発明の開示】
【発明が解決しようとする課題】
【０００４】
図１０及び図１１に従来のインバータ装置の構成が示されている。
即ち、インバータ装置１００は、前面の開口部に蓋体１０１を有する操作盤１０２内に電動機を可変速駆動するインバータ１０３が収納されて構成され、蓋体１０１には操作パネル１０４が配設されている。そして、インバータ１０３のコネクタ１０５と操作パネル１０４のコネクタ１０６とは、４芯のケーブル１０７により接続されている。
インバータ１０３は、運転、停止及び運転時の動作状態等の動作状態を操作するための操作部及び動作状態を表示する表示器を有する。操作パネル１０４は、インバータ１０３の動作状態を操作するための操作部及び動作状態を表示する表示器を有し、インバータ１０３との間で操作及び表示のための信号の授受をケーブル１０７を介して行なうようになっている。
【０００５】
操作盤１０２の蓋体１０１には、操作パネル１０４の他に外部機器としての運転及び停止用のスイッチ１０８、電流表示用のアナログ表示器１０９、運転及び停止用の表示ランプ１１０、周波数指令用のボリューム１１１及び電圧表示用のデジタル表示器１１２が配設されている。これらのスイッチ１０８、アナログ表示器１０９、表示ランプ１１０及びデジタル表示器１１２は、各２本の電線１０８ａ、１０９ａ、１１０ａ及び１１２ａを介してインバータ１０３の端子台１１３に接続されているとともに、ボリューム１１１は、３本の電線１１１ａを介して端子台１１３に接続されている。スイッチ１０８、アナログ表示器１０９、表示ランプ１１０、ボリューム１１１及びデジタル表示器１１２は、使用者の要望に応じて設置（オプション）されるものである。
【０００６】
このような構成によると、操作盤１０２において、インバータ１０３と蓋体１０１との間には、インバータ１０３と操作パネル１０４とを接続するケーブル１０７の他に、インバータ１０３とスイッチ１０８、アナログ表示器１０９、表示ランプ１１０、ボリューム１１１及びデジタル表示器１１２とを接続するための電線１０８ａ、１０９ａ、１１０ａ、１１１ａ及び１１２ａの合計１１本の電線を配設する必要があり、配線が複雑になる不具合がある。
特に、操作盤内に複数のインバータを配設するインバータ装置においては、各インバータ毎に操作パネルを設ける必要があるので、その配線は一層複雑になる問題がある。
【０００７】
本発明は上記事情に鑑みてなされたものであり、その目的は、インバータに対して配線を簡素化なし得る操作パネル及びこの操作パネルを用いたインバータ装置を提供することにある。
【課題を解決するための手段】
【０００８】
本発明は、インバータの動作状態を操作及び表示する機能を有する操作パネルにおいて、前記インバータとの間で情報を入出力する通信手段と、前記インバータの動作状態を操作或いは表示するためのアナログ信号、接点信号或いはパルス列信号を外部から入力し或いは外部に出力する信号処理手段とを有し、前記インバータと前記信号処理手段との間の信号の入出力を前記通信手段で行なうことを特徴とする。
このような構成によれば、インバータと外部機器との配線は、直接個別に行う必要がなく、操作パネルと外部機器との間で行なえばよいので、インバータと外部機器との間の配線は不要になり、配線を簡素化することができる。
【０００９】
又、本発明は、インバータ番号を設定するインバータ番号設定機能を備えたインバータの動作状態を操作或いは表示する機能を有する操作パネルにおいて、前記インバータとの間で情報を入出力する通信手段と、複数のインバータのインバータ番号を選択するインバータ番号選択手段と、このインバータ番号選択手段により選択されたインバータの動作状態を操作或いは表示するためのアナログ信号、接点信号或いはパルス列信号を外部から入力し或いは外部に出力する信号処理手段とを有し、前記インバータと前記信号処理手段との間の信号の入出力を前記通信手段で行ない、前記インガータ番号設定機能に基づきインバータ番号が設定された複数のインバータのうち前記インバータ番号選択手段により選択されたインバータの動作状態を操作及び表示することを特徴とする。
このような構成によれば、操作パネルは共通に複数のインバータに接続されるので、複数のインバータと夫々に対応する操作パネルとの間の配線は不要となり、配線を簡素化することができる。
【発明の効果】
【００１０】
本発明によれば、操作パネルのインバータに対する配線を簡素化なし得るという効果を奏する。
【発明を実施するための最良の形態】
【００１１】
（第１の実施例）
以下、本発明の第１の実施例につき、図１乃至図７を参照して説明する。
【００１２】
図１及び図２に示すように、インバータ装置１は、前面の開口部に蓋体２を有する操作盤３と、この操作盤３内に配設されたインバータ４と、蓋体２に配設された操作パネル５とを備えて構成されている。
インバータ４は、６個のスイッチング素子例えばＩＧＢＴを３相ブリッジ接続してなるインバータ主回路６と、このインバータ主回路６を制御するマイクロコンピュータを主体とする制御手段たる制御装置７と、種々の設定を行なうとともに各種の表示を行なう操作表示部８と、通信手段たる通信回路９と、交流電源電圧を整流して直流駆動電源電圧を得るともにこの直流駆動電源電圧から直流制御電源電圧を得る直流電源回路１０とを備え、更に、コネクタ１１及び端子台１２を備えている。
【００１３】
この場合、インバータ装置１において、インバータ主回路６の交流出力端子は、３相の交流電動機例えば誘導電動機に接続され、インバータ主回路６の直流入力端子には、直流電源回路１０の直流駆動電源電圧が供給されるようになっており、制御装置７は、操作表示部８によって運転、停止及び運転時の動作状態を操作し、その操作された動作状態になるようにインバータ主回路６を制御するようになっている。尚、インバータ主回路６の動作状態は、操作表示部８に表示されるようになっている。
【００１４】
操作パネル５は、コネクタ１３、７セグメント形４桁（ドット付き）のデジタル表示器１４、アップ（「△」）キー１５、ダウン（「▽」）キー１６、ラン（「ＲＵＮ」）キー１７、モニタ（「ＭＯＮ」）キー１８、エント（「ＥＮＴ」）キー１９、ストップ（「ＳＴＯＰ」）キー２０及び端子台２１を備えているとともに、通信手段たる通信回路２２及びマイクロコンピュータを主体とした制御手段たる制御装置２３並びに信号処理手段たる接点入力部２４、アナログ出力部２５、接点出力部２６、アナログ入力部２７、パルス列出力部２８を備えている。そして、接点入力部２４、アナログ出力部２５、接点出力部２６、アナログ入力部２７、パルス列出力部２８は、端子台２１に接続されている。
【００１５】
インバータ４のコネクタ１１と操作パネル５のコネクタ１３とは、４芯のケーブル２９二より接続されている。この４芯のケーブル２９において、２本の芯線は、直流電源回路１０の直流制御電源電圧を操作パネル５側に供給する電源線として用いられ、残りの２本の芯線は、インバータ４の通信回路９と操作パネル５の通信回路２２との間で双方向のシリアル通信を行なう通信線として用いられるようになっている。
【００１６】
操作盤３の蓋体２には、外部機器としての運転及び停止用のスイッチ３０、電流表示用のアナログ表示器３１、運転及び停止用の表示ランプ３２、周波数指令用のボリューム３３及び電圧表示用のデジタル表示器３４が配設されている。これらのスイッチ３０、アナログ表示器３１、表示ランプ３２及びデジタル表示器３４は、各２本の電線３０ａ、３１ａ、３２ａ及び３４ａを介して操作パネル５の端子台２１に接続されているとともに、ボリューム３３は、３本の電線３３ａを介して端子台２１に接続されている。外部機器としてのスイッチ３０、アナログ表示器３１、表示ランプ３２、ボリューム３３及びデジタル表示器３４は、使用者の要望に応じて設置（オプション）されるものである。
【００１７】
次に、操作パネル５を用いてインバータ４の運転、パラメータの設定及びパラメータのモニタを行なう場合について図３乃至図７をも参照して説明する。操作パネル５は、前記操作表示部８と同様に運転、停止及び運転時の動作状態等の動作状態を操作できる。操作パネル５の操作による動作、表示は、インバータ４の制御装置７が操作パネル５からの信号を受けることにより操作表示部８からの信号よりも優先して実行することにより行なわれ、若しくは、制御装置７が操作パネル５から優先実行のパラメータの設定を受けることにより行なわれるようになっている。
【００１８】
（運転−その１）
インバータ４を運転させる場合には、図３に示すような操作が行なわれる。
先ず、操作パネル５に電源が投入されると、デジタル表示器１４に「０．０」が表示される。アップキー１５或いはダウンキー１６が押されると、デジタル表示器１４に運転周波数が変化表示され、例えば「６０．０」のように表示される。エントキー２９が押されると、運転周波数が決定（設定）され、デジタル表示器１４に「ＦＣ」の表示と設定値  「６０．０」の表示とが交互に行なわれる。ランキー１７が押されると、デジタル表示器１４に運転周波数の表示が行なわれ、この運転周波数（パラメータ）情報が制御装置２３により、通信回路２２、コネクタ１３、ケーブル２９、コネクタ１１及び通信回路９の経路を介してインバータ４の制御装置７に与えられ、制御装置７は、インバータ主回路６  （誘導電動機）の運転を開始させ、設定された加速時間に従って上記設定された運転周波数まで上昇させる。
【００１９】
このインバータ主回路６（インバータ４）の運転中は、デジタル表示器１４は、運転周波数「６０．０」を表示する。又、上記運転中は、インバータ４の制御装置７は、運転中を示すオン信号（接点信号）を通信回路９、コネクタ１１、ケーブル２９、コネクタ１３及び通信回路２２の経路を介して操作パネル５の制御装置２３に与える。これにより、制御装置２３は、接点出力部２６及び電線３２ａを介して表示ランプ３２を点灯させ、以て、インバータ主回路６（インバータ４）が運転中であることを表示（報知）させる。
【００２０】
制御装置７は、前述と同様の経路でインバータ主回路６（誘導電動機）に流れる電流  （負荷電流）の情報を操作パネル５の制御装置２３に与え、制御装置２３は、負荷電流情報（アナログ信号）をアナログ出力部２５及び電線３１ａを介してアナログ表示器３１に表示させる。そして、制御装置７は、前述と同様の経路でインバータ主回路６の出力電圧（誘導電動機の入力電圧）の情報を操作パネル５の制御装置２３に与え、制御装置２３は、出力電圧情報（パルス列信号）をパルス列出力部２８及び電線３４ａを介してデジタル表示器３４に与える。このデジタル表示器３４は、アップダウンカウンタで構成されていて、パルス列出力部２８から与えられるパルス列をアップカウント或いはダウンカウントすることによりインバータ主回路６の出力電圧をデジタル表示する。
【００２１】
その後、ストップキー２０が押されると、この情報が前述同様の経路でインバータ４の制御装置７に与えられ、制御装置７は、設定された減速時間に従ってインバータ主回路６（誘導電動機）の運転を停止させる。これにともなって、インバータ４の制御装置７は、運転停止を示すオフ信号（接点信号）を通信回路９、コネクタ１１、ケーブル２９、コネクタ１３及び通信回路２２の経路を介して操作パネル５の制御装置２３に与える。制御装置２３は、接点出力部２６を介して表示ランプ３２を消灯させ、以て、インバータ主回路６（インバータ４）が停止したことを報知させる。この時、デジタル表示器１４は、「０．０」の表示に戻る。
【００２２】
（運転−その２）
インバータ４を運転させる場合には、図４に示すような操作によっても行なわれる。
先ず、操作パネル５に電源が投入されると、デジタル表示器１４に「０．０」が表示される。ランキー１７が押され、更にボリューム３３が回されると、この情報が電圧信号として電線３３ａ及びアナログ入力部２７を介して制御装置２３に与えられ、デジタル表示器１４にその電圧信号（アナログ信号）に応じた周波数が例えば「６０．０」のように表示され、この運転周波数情報が前述同様の経路でインバータ４の制御装置７に与えられ、インバータ主回路６（誘導電動機）の運転が開始される。
【００２３】
このインバータ４の運転中において、ボリューム３３が回されると、それに応じた運転周波数が例えば「４０．０」のようにデジタル表示器１４に表示され、今度はこの運転周波数でインバータ主回路６（誘導電動機）が運転される。尚、インバータ４の運転中において、アナログ表示器３１、表示ランプ３２及びデジタル表示器３４の動作は、（運転−その１）と同様である。その後、ストップキー２０が押されると、前述同様にしてインバータ主回路６（誘導電動機）の運転が停止され、表示ランプ３２が消灯され、デジタル表示器１４は、「０．０」の表示に戻る。
【００２４】
ところで、上記（運転−その１）或いは（運転−その２）によるインバータ４の運転中において、スイッチ３０が開放（オフ）操作された場合には、このオフ信号（接点信号）が電線３０ａ及び接点入力部２４を介して制御装置２３に与えられ、制御装置２３は、このオフ信号を前述同様の経路でインバータ４の制御装置７に与える。これにより、制御装置７は、インバータ主回路６の運転を停止させる。又、制御装置２３は、表示ランプ３２を消灯させる。
【００２５】
以上のようなインバータ４の運転停止中において、スイッチ３０が閉成（オン）操作された場合には、このオン信号（接点信号）が電線３０ａ及び接点入力部２４を介して制御装置２３に与えられ、制御装置２３は、このオン信号を前述同様の経路でインバータ４の制御装置７に与える。これにより、制御装置７は、インバータ主回路６の運転を再開させる。又、制御装置２３は、表示ランプ３２を点灯させる。
【００２６】
（設定）
インバータ４（インバータ主回路６）のパラメータを設定する場合には、図５に示す操作が行なわれる。
先ず、操作パネル５に電源が投入されると、デジタル表示器１４に「０．０」が表示される。モニタキー１８が押されると、デジタル表示器１４にパラメータ設定を示す「ＡＵＨ」の表示が行なわれる。アップキー１５或いはダウンキー１６が押されると、デジタル表示器１４にパラメータを示す表示が順次行なわれ、例えば、パラメータとして加速時間を設定するときには、デジタル表示器１４に「ＡＣＣ」が表示されるまでアップキー１５或いはダウンキー１６が押される。次に、エントキー１９が押されると、デジタル表示器１４に設定値が例えば「１０．０」のように表示される。アップキー１５或いはダウンキー１６が押されると、デジタル表示器１４に設定値が順次表示され、所望の設定値が表示されたときに（例えば「１０．０」）エントキー１９が押されると、デジタル表示器１４には、文字「ＡＣＣ」と設定値「１０．０」とが交互に表示され、設定が終了する。そして、この加速度時間の設定値情報は、制御装置２３から前述した経路でインバータ４の制御装置７に与えられ、制御装置７は設定された加速時間となるようにインバータ主回路６を制御する。加速時間以外の他のパラメータを設定する場合も同様にして行なわれる。
【００２７】
（モニタ）
インバータ４のパラメータをモニタする場合には、図６に示す操作が行なわれる。
インバータ４の運転中は、デジタル表示器１４には運転周波数が例えば「６０．０」のように表されている。モニタキー１８が２回押されると、デジタル表示器１４に誘導電動機の回転方向（パラメータ）が「Ｆｒ−Ｆ」（正転）或いは「Ｆｒ−ｒ」（逆転）のように表示される。アップキー１５が押されると、デジタル表示器１４に今度は運転周波数設定値（パラメータ）が「Ｆ６０．０」のように表示される。更に、アップキー１５が押されると、負荷電流値（パラメータ）が例えば「Ｃ８０」のように表示される。以下同様にして、アップキー１５が押される毎に、デジタル表示器１４には、パラメータとして例えばインバータ入力電圧「ｙ１００」、インバータ出力電圧「Ｐ１００」、トルク電流「ｃ８８」等が順次表示される。そして、モニタキー１８が押されると、元に戻ってデジタル表示器１４には運転周波数「６０．０」が表示される。
【００２８】
（ゲイン調整）
本実施例では、ボリュームに３３よる運転周波数のゲイン調整を図７に示すようにパラメータ設定により行なわれる。この場合、運転周波数のゲイン調整とは、ボリューム３３が示す例えば１Ｖが、１Ｈｚに相当するのか、１０Ｈｚに相当するのか、或いは、１００Ｖに相当するのか等のレンジを設定することを意味する。
【００２９】
先ず、操作パネル５に電源が投入されると、デジタル表示器１４に「０．０」が表示される。モニタキー１８が押されると、デジタル表示器１４にパラメータ設定を示す「ＡＵＨ」の表示が行なわれる。アップキー１５或いはダウンキー１６が押されると、デジタル表示器１４にパラメータを示す表示が順次行なわれる。そこで、デジタル表示器１４にゲイン調整を示す「ＧＡｉｎ」が表示されるまでアップキー１５或いはダウンキー１６が押される。次に、エントキー１９が押されると、デジタル表示器１４に設定値が例えば「０」のように表示される。アップキー１５或いはダウンキー１６が押されると、デジタル表示器１４に設定値が順次表示され、所望の設定値が表示されたときに（例えば「２」）エントキー１９が押されると、デジタル表示器１４には、文字「ＧＡｉｎ」と設定値「２」とが交互に表示され、設定が終了する。そして、このゲイン調整に基づくボリューム３３の設定による運転周波数情報が制御装置２３から前述した経路でインバータ４の制御装置７に与えられる。
【００３０】
このように本実施例によれば、操作盤３内に配設されたインバータ４のコネクタ１１と蓋体２に配設された操作パネル５のコネクタ１３とを４芯のケーブル２９で接続するとともに、蓋体２に配設された外部機器たるスイッチ３０、アナログ表示器３１、表示ランプ３２、ボリューム３３及びデジタル表示器３４を操作パネル５の端子台２１に電線３０ａ、３１ａ、３２ａ、３３ａ及び３４ａにより接続するようにしたので、インバータ４と操作パネル５との間の配線はケーブル２９だけでよくなり、従って、従来に比し配線の簡素化を図ることができる。
【００３１】
又、本実施例によれば、運転周波数を設定するためのボリューム３３の電圧のゲイン調整を行なうようにしたので、ボリューム３３により広範囲の運転周波数の設定を行なうことができ、換言すれば、木目の細かな運転周波数の設定を行なうことができ、しかも、ゲイン調整をパラメータの設定により行なうようにしたので、ゲイン調整のための特別な回路、配線等は不要である。
【００３２】
（第２の実施例）
図８は本発明の第２の実施例であり、上記第１の実施例と同一部分には同一符号を付して示し、以下異なる部分について説明する。
操作盤３内には、「Ｎｏ．１」、「Ｎｏ．２」……のようにインバータ番号が設定された複数台のインバータ４、４……が配設されている。従って、各インバータ４は、自己に割り当てられたインバータ番号を設定するインバータ番号設定機能を有する。
【００３３】
「Ｎｏ．１」のインバータ４のコネクタ１１は、４芯のケーブル２９により操作パネル５のコネクタ１３に接続されており、複数のインバータ４、４……のコネクタ１１、１１……間は、４芯のケーブル２９ａ……を介して相互に接続されている。又、操作パネル５には、インバータ番号選択手段たるインバータ番号選択器３５が配設されており、これによりインバータ番号を選択することができるようになっている。
【００３４】
尚、各インバータ４には、図１に示すインバータ４と同様に、インバータ主回路６、制御装置７、操作表示部８、通信回路９及び直流電源回路１０が設けられ、又、操作パネル５には、図１に示す操作パネル５と同様に、通信回路２２及び制御装置２３が設けられているが、図８では、図の簡略化上示されていない。従って、この実施例において、必要な場合には、図１に示す符号を参照する。
【００３５】
インバータ番号選択器３５が操作されてインバータ番号が選択されると、そのインバータ番号情報が制御装置２３から通信回路２２、コネクタ１３、ケーブル２９及び２９ａの経路で各インバータ４のコネクタ１１与えられ、更に、通信回路９を介して制御装置７に与えられる。これにより、選択されたインバータ番号が割り当てられたインバータ４の制御装置７と操作パネル５の制御装置２３との間で前記第１の実施例で述べたような各種の信号の授受が可能になり、同様の動作が行なわれる。又、外部機器たるスイッチ３０、アナログ表示器３１、表示ランプ３２、ボリューム３３及びデジタル表示器３４についても同様であり、選択されたインバータ番号が割り当てられたインバータ４の操作、表示が行なわれる。
【００３６】
尚、インバータ番号選択器３５によるインバータ番号の選択がインバータ番号設定範囲外の値例えばインバータ番号の選択がいずれのインバータにも割り当てられていない番号「Ｎｏ．０」（ワイルド番号）であった場合には、操作パネル５により複数のインバータ４、４……全ての設定操作が同時に行なわれるようになっている。但し、この場合は、複数のインバータ４、４……全ての動作条件が同じである必要がある。
【００３７】
この第２の実施例によれば、１つの操作パネル５で複数台のインバータ４、４……の動作状態を操作及び表示することができるので、各インバータ毎に操作パネルを設ける従来に比し配線の簡素化を図ることができるとともに、１つの操作パネル５で済むので、経済的でもある。そして、外部機器たるスイッチ３０、アナログ表示器３１、表示ランプ３２、ボリューム３３及びデジタル表示器３４についても複数台のインバータ４、４……に共通に用いることができるので、一層の配線の簡素化を図ることができるとともに、一層経済的になる。
【００３８】
（第３の実施例）
図９は本発明の第３の実施例を示す。この第３の実施例では、説明の便宜上図１及び図８をも参照する。
上記第２の実施例では、インバータ番号をインバータ番号選択器３５によって選択したが、この第３の実施例では、インバータ番号選択器３５は用いずに、パラメータによって選択する。
【００３９】
先ず、操作パネル５に電源が投入されると、デジタル表示器１４に「０．０」が表示される。モニタキー１８が押されると、デジタル表示器１４にパラメータ設定を示す「ＡＵＨ」の表示が行なわれる。アップキー１５或いはダウンキー１６が押されると、デジタル表示器１４にパラメータを示す表示が順次行なわれ、例えば、デジタル表示器１４にインバータ番号選択の「Ｉｎｖｎ」が表示されるまでアップキー１５或いはダウンキー１６が押される。次に、エントキー１９が押されると、デジタル表示器１４に設定値が例えば「０」のように表示される。アップキー１５或いはダウンキー１６が押されると、デジタル表示器１４に設定値が順次表示され、所望の設定値が表示されたときに（例えば「１」）エントキー１９が押されると、デジタル表示器１４には、文字「Ｉｎｖｎ」と設定値「１」とが交互に表示され、選択が終了する。
【００４０】
そして、このインバータ番号情報は、制御装置２３から前述した経路でインバータ４、４……の制御装置７、７……に与えられ、選択されたインバータ番号が割り当てられた  （例えば「Ｎｏ．１」の）インバータ４の制御装置７と操作パネル５の制御装置２３との間で前記第１の実施例で述べたような各種の信号の授受が可能になり、同様の動作が行なわれる。又、外部機器たるスイッチ３０、アナログ表示器３１、表示ランプ３２、ボリューム３３及びデジタル表示器３４についても同様であり、選択されたインバータ番号が割り当てられたインバータ４の操作、表示が行なわれる。
【００４１】
このような第３の実施例によれば、複数のインバータ４、４……のインバータ番号をパラメータ設定値により識別及び選択するようにしたので、第２の実施例のようなインバータ番号選択器３５を設ける必要はなく、それだけ回路構成、配線を簡素化することができ、経済的にも有利である。
【００４２】
尚、本発明は、上記し且つ図面に示す実施例に限定されるものではなく、次のような変形、拡張が可能である。
上記実施例では、インバータ４と操作パネル５との間で、４芯のケーブル２９を用いてシリアル通信を行なうようにしたが、４芯を超える多芯のケーブルを用いてパラレル通信を行なうようにしてもよい。
上記実施例では、操作パネル５の端子台２１に外部機器としてスイッチ３０、アナログ表示器３１、表示ランプ３２、ボリューム３３及びデジタル表示器３４を接続するようにしたが、これらは必要に応じて接続すればよく、又、これら以外のものを接続し得るようにしてもよい。
【００４３】
上記第２の実施例においては、操作パネル５に、外部機器としてスイッチ３０、アナログ表示器３１、表示ランプ３２、ボリューム３３及びデジタル表示器３４に夫々接続される信号処理手段たる接点入力部２４、アナログ出力部２５、接点出力部２６、アナログ入力部２７及びパルス列出力部２８を設けるようにしたが、これらは必要に応じて設ければよい。
【図面の簡単な説明】
【００４４】
【図１】本発明の第１の実施例の概略的構成を示す図
【図２】蓋体を開放した状態の斜視図
【図３】運転開始時の作用説明図
【図４】運転開始時の異なる作用説明図
【図５】設定時の作用説明図
【図６】モニタ時の作用説明図
【図７】ゲイン調整時の作用説明図
【図８】本発明の第２の実施例を示す図１相当図
【図９】本発明の第３の実施例を示すインバータ番号選択時の作用説明図
【図１０】従来例を示す図１相当図
【図１１】図２相当図
【符号の説明】
【００４５】
図面中、１はインバータ装置、２は蓋体、３は操作盤、４はインバータ、５は操作パネル、６はインバータ主回路、７は制御装置（制御手段）、９は通信回路（通信手段）、１１はコネクタ、１３はコネクタ、２１は端子台、２２は通信回路（通信手段）、２３は制御装置（制御手段）、２４は接点入力部（信号処理手段）、２５はアナログ出力部（信号処理手段）、２６は接点出力部（信号処理手段）、２７はアナログ入力部（信号処理手段）、２８はパルス列出力部（信号処理手段）、２９はケーブル、３０はスイッチ（外部機器）、３１はアナログ表示器（外部機器）、３２は表示ランプ（外部機器）、３３はボリューム（外部機器）、３４はデジタル表示器（外部機器）、３０ａ乃至３４ａは電線、３５はインバータ番号選択器（インバータ番号選択手段）を示す。
【図１】
2006211746.tif 000003
【図２】
2006211746.tif 000004
【図３】
2006211746.tif 000005
【図４】
2006211746.tif 000006
【図５】
2006211746.tif 000007
【図６】
2006211746.tif 000008
【図７】
2006211746.tif 000009
【図８】
2006211746.tif 000010
【図９】
2006211746.tif 000011
【図１０】
2006211746.tif 000012
【図１１】
2006211746.tif 000013